(57)【要約】【課題】  ケーブルの引き出し方向を選択できる電子機器を提供する。【解決手段】  内部に収納空間を有するケース体２３および収納空間に収納された電気動作部を備える電子機器において、ケース体２３は、外部と収納空間とを連通して電力供給用あるいは信号伝送用のケーブル５を電気動作部に通す連通孔４２と、ケース体２３の外側面において連通孔４２の外側出口からこのケース体２３の外側面上の所定位置までを結んで凹設され連通孔４２から外部に出たケーブル５が嵌合されるケーブル嵌合溝４３と、を備え、ケーブル嵌合溝４３は連通孔４２の外側出口から互いに異なる方向に向けて少なくとも二以上設けられている。【選択図】  図１
2005079506.tif 000002
【特許請求の範囲】
【請求項１】
内部に収納空間を有するケース体および前記収納空間に収納された電気動作部を備える電子機器において、
前記ケース体は、外部と前記収納空間とを連通して電力供給用あるいは信号伝送用のケーブルを前記電気動作部に通す連通孔と、
前記ケース体の外側面において前記連通孔の外側出口からこのケース体の外側面上の所定位置までを結んで凹設され前記連通孔から外部に出た前記ケーブルが嵌合されるケーブル嵌合溝と、を備え、
前記ケーブル嵌合溝は前記連通孔の外側出口から互いに異なる方向に向けて少なくとも二以上設けられている。
ことを特徴とする電子機器。
【請求項２】
請求項１に記載の電子機器において、
前記ケーブル嵌合溝は、このケーブル嵌合溝の内方から外部に通じる開口の幅が前記ケーブルの径に比べて小さい領域を少なくとも一以上有する
ことを特徴とする電子機器。
【請求項３】
請求項１または請求項２のいずれかに記載の電子機器において、
前記ケース体は、多角形の底板およびこの底板の周縁に立設された側壁を有し前記収納空間に通じる一面が開口した収納ケース部と、前記収納ケース部の開口側端面に密接して前記収納空間を閉じる天板部とを備え、
前記収納ケース部のいずれかの角部にあたる内壁には前記ケーブルを支える断面凹状であって前記ケーブルを前記天板部とにて挟持して位置固定するケーブル係止部が設けられている
ことを特徴とする電子機器。
【請求項４】
請求項３に記載の電子機器において、
前記収納ケース部の前記開口側端面には前記ケーブルを支持する断面凹状であって前記天板部とにて前記ケーブルを挟持するケーブル支持凹部が設けられ、
前記ケーブル支持凹部は、前記収納ケース部の前記角部に近接する位置から互いに異なる方向へ向けて少なくとも二以上設けられている
ことを特徴とする電子機器。
【請求項５】
内部に収納空間を有するケース体および前記収納空間に収納された電気動作部を備える電子機器において、
前記ケース体は一以上の角部を有するとともに外部と前記収納空間とを連通して電力供給用あるいは信号伝送用のケーブルを前記電気動作部に通す連通孔をいずれかの角部に有する
ことを特徴とする電子機器。
【請求項６】
長手方向にスケールパターンを有するスケール部材と、
前記スケール部材に沿ってスライド移動可能に設けられた請求項１ないし請求項５のいずれかに記載の電子機器と、を備え、
前記電気動作部は、前記スケールパターンと協働してこのスケールパターンに対する変位量を検出する変位検出ユニットを有する
ことを特徴とする変位測定装置。
【請求項７】
請求項６に記載の変位測定装置において、
一本の前記スケール部材に対して少なくとも二以上の電子機器が前記ケーブルをこのスケール部材の長手方向に異なる方向に引き出した状態で配設されている
ことを特徴とする変位測定装置。
【発明の詳細な説明】
【技術分野】
【０００１】
本発明は、電子機器および変位測定装置に関する。例えば、電力供給用や信号伝送用のケーブルを備えた電子機器および変位測定装置に関する。
【背景技術】
【０００２】
従来より、スケールに対する変位量を測定する変位測定装置が知られ、長さ測定や位置決めなどに利用されている（例えば、特許文献１）。
この変位測定装置１００は、図５（Ａ）に示されるように、長手状のスケール部材１と、このスケール部材１に沿ってスライド移動可能に設けられスケール部材１に対する変位量を検出する検出ヘッド２と、を備えて構成されている。
スケール部材１に対する変位量を検出ヘッド２で検出する構成としては、スケール部材１の長手方向に沿ってスケールパターンとして光学格子を設けるとともに、光学格子に向けて光を照射する光源、および、光学格子からの反射光または透過光を受光して光電変換する光電変換部を有する変位検出ユニットを検出ヘッド２に内蔵する構成が例示される。
また、検出ヘッド２は、変位検出ユニットに向けて電力を供給したり変位検出ユニットからの検出信号を取り出したりするケーブル５を備えている。
このような構成において、例えば、検出ヘッド２の天面２１に加工対象物等をセットするとともに、検出ヘッド２による検出値を利用して加工対象物の位置決めなどが行われる。
【０００３】
複数の加工対象物を扱う場合には、図５（Ｂ）に示されるように、一本のスケール部材１に対して複数の検出ヘッド２を並べて配置することが行われる。このような構成によれば、複数の加工対象物を扱う場合でもスケール部材１が一つで済むので設置スペースを小さくすることができる。
【０００４】
【特許文献１】特開２００１−２１１６３０号
【発明の開示】
【発明が解決しようとする課題】
【０００５】
従来は、スケール部材１の長手方向、すなわち、検出ヘッド２の移動方向に沿ってケーブル５が検出ヘッド２から引き出されていた。このような構成において、図５（Ｂ）のように一本のスケール部材１に複数の検出ヘッド２を配置した場合、隣接する検出ヘッド２の間にはケーブル５を引き出すための間隔を空けなければならない。すると、この間隔の分だけスペースを確保しなければならなくなり、設置スペースが大きくなってしまうという問題が生じていた。
【０００６】
ここで、一本のスケール部材１に複数の検出ヘッド２を詰めて配設する構成として、図５（Ｃ）に示されるように、複数の検出ヘッド２の天面２１に互いに高さの違うケーブル引出部材２２を設置することにより、各検出ヘッド２から引きだされるケーブル５の高さを変えることが考えられる。しかしながら、ケーブル５の引き出し高さを変えるために新たな部材を設けなければならないため、材料コストおよび製造コストが増大し、さらに、各ケーブル引出部材２２は互いに形状が異なるため、部品点数および部品種類が非常に増大するという問題が生じる。
【０００７】
このような問題は、変位測定装置１００に限られず、電力供給用のケーブルや信号伝送用のケーブルを備えて複数配置される電子機器に共通する問題である。
【０００８】
本発明の目的は、従来の問題を解消し、ケーブルの引き出し方向を選択できる電子機器および変位測定装置を提供することにある。
【課題を解決するための手段】
【０００９】
請求項１に記載の電子機器は、内部に収納空間を有するケース体および前記収納空間に収納された電気動作部を備える電子機器において、前記ケース体は、外部と前記収納空間とを連通して電力供給用あるいは信号伝送用のケーブルを前記電気動作部に通す連通孔と、前記ケース体の外側面において前記連通孔の外側出口からこのケース体の外側面上の所定位置までを結んで凹設され前記連通孔から外部に出た前記ケーブルが嵌合されるケーブル嵌合溝と、を備え、前記ケーブル嵌合溝は前記連通孔の外側出口から互いに異なる方向に向けて少なくとも二以上設けられていることを特徴とする。
【００１０】
このような構成によれば、電子機器から連通孔を通って外部に出たケーブルを任意の方向へ向けて引き出すことができる。例えば、ケーブルは連通孔から出た状態でそのまま所定方向へ引き出されてもよく、あるいは、連通孔から出たのちケーブル嵌合溝に押し込まれてケーブル嵌合溝に沿った方向から引き出されてもよい。このとき、ケーブル嵌合溝が異なる方向に向けて二以上設けられているので、ケーブル引き出し方向を種々選択できる。よって、ケーブルを電源やホストコンピュータなどに接続する場合でも、ケーブルを電源あるいはホストコンピュータに向けて最短距離で引き出すことができる。あるいは、電源やホストコンピュータの位置に対して電子機器を配置する位置は制限を受けないので、電子機器を自由に配置することができる。
【００１１】
ここで、本発明の電子機器において、前記ケース体は略平坦に形成された天面を有し、前記連通孔は前記天面に設けられ、前記ケーブル嵌合溝は前記天面に凹設され前記連通孔と前記天面の周縁とを結んで形成されていることが好ましい。このような構成によれば、天面が略平坦であるので加工対象物を載置する場合の基準面としてこの天面を利用することができる。そして、ケーブル嵌合溝は天面に凹設されるので、ケーブル嵌合溝は天面の平坦度には影響しない。
【００１２】
請求項２に記載の電子機器は、請求項１に記載の電子機器において、前記ケーブル嵌合溝は、このケーブル嵌合溝の内方から外部に通じる開口の幅が前記ケーブルの径に比べて小さい領域を少なくとも一以上有することを特徴とする。
このような構成によれば、ケーブル嵌合溝の開口の幅が縮径されているので、ケーブル嵌合溝に押し込まれたケーブルの位置をケーブル嵌合溝内に固定することができる。
【００１３】
ここで、例えば、ケーブル嵌合溝の内方から外部に通じる開口の幅は、ケーブルの最大直径に対して９５％ないし８５％程度に形成されることが例示される。そして、ケーブル嵌合溝の内方から外部に通じる開口の幅は、ケーブルに与圧を掛けて開口からケーブルをケーブル嵌合溝の内側に押し込むことができるとともにケーブル嵌合溝の内側に押し込まれたケーブルが与圧を掛けることなしにはケーブル嵌合溝から外れないで固定される程度の幅に形成されることが例示される。
また、ケーブル嵌合溝の内方から外部に通じる開口の幅は全領域にわたって同じ幅に形成されていてもよく、あるいは、向かい合う開口縁の少なくとも一方から向かい合う開口縁に向けて突起する凸状片を備え、部分的に開口の幅を小さくしてもよい。
【００１４】
請求項３に記載の電子機器は、請求項１または請求項２のいずれかに記載の電子機器において、前記ケース体は、多角形の底板およびこの底板の周縁に立設された側壁を有し前記収納空間に通じる一面が開口した収納ケース部と、前記収納ケース部の開口側端面に密接して前記収納空間を閉じる天板部とを備え、前記収納ケース部のいずれかの角部にあたる内壁には前記ケーブルを支える断面凹状であって前記ケーブルを前記天板部とにて挟持して位置固定するケーブル係止部が設けられていることを特徴とする。
【００１５】
このような構成によれば、ケーブルをケーブル係止部に引っ掛けて天板部とにて挟持することによりケーブルを固定しつつ電子機器の角部からケーブルを引き出すことができる。すると、この角部から出たケーブルをそのまま延長方向へ引き出すことができる。あるいは、この角部に隣接する側面にケーブルを沿わせることもできる。したがって、ケーブルの引き出し方向を場合に応じて選択できる。なお、多角形の底板としては略矩形に形成してケース体を略直方体形状に形成することが例示される。
【００１６】
ここで、本発明の電子機器において、前記天板部は、矩形の角部から前記ケーブルが引き出し可能に形成され、例えば、矩形の角部に面取りされた面取部を有していることが好ましい。このような構成によれば、ケーブルをケーブル係止部に引っ掛けたあと天板部の面取部からケーブルを逃がすことにより、ケーブルを角部から引き出すことができる。
【００１７】
請求項４に記載の電子機器は、請求項３に記載の電子機器において、前記収納ケース部の前記開口側端面には前記ケーブルを支持する断面凹状であって前記天板部とにて前記ケーブルを挟持するケーブル支持凹部が設けられ、前記ケーブル支持凹部は、前記収納ケース部の前記角部に近接する位置から互いに異なる方向へ向けて少なくとも二以上設けられていることを特徴とする。
このような構成によれば、ケーブルを角部から引き出し、さらに、ケーブル支持凹部にケーブルを載置することにより、ケーブルを検出ヘッドの側面から引き出すこともできる。このとき、ケーブル支持凹部と天板部とにてケーブルを挟持することによりケーブルを位置決め固定することができる。
【００１８】
請求項５に記載の電子機器は、内部に収納空間を有するケース体および前記収納空間に収納された電気動作部を備える電子機器において、前記ケース体は一以上の角部を有するとともに外部と前記収納空間とを連通して電力供給用あるいは信号伝送用のケーブルを前記電気動作部に通す連通孔をいずれかの角部に有することを特徴とする。
このような構成によれば、連通孔を通してケーブルを角部から引き出すことができる。すると、ケーブルをそのまま延長方向へ引き出すことができる。あるいは、この角部に隣接する側面にケーブルを沿わせることもできる。したがって、ケーブルの引き出し方向を場合に応じて選択できる。ここで、角部を有するケース体として、ケース体を略直方体形状に形成することが例示される。
【００１９】
請求項６に記載の変位測定装置は、長手方向にスケールパターンを有するスケール部材と、前記スケール部材に沿ってスライド移動可能に設けられた請求項１ないし請求項５のいずれかに記載の電子機器と、を備え、前記電気動作部は、前記スケールパターンと協働してこのスケールパターンに対する変位量を検出する変位検出ユニットを有することを特徴とする。
このような構成によれば、請求項１から請求項５に記載の発明と同様の作用効果を奏する変位測定装置とすることができる。
【００２０】
請求項７に記載の変位測定装置は、請求項６に記載の変位測定装置において、一本の前記スケール部材に対して少なくとも二以上の電子機器が前記ケーブルを前記スケール部材の長手方向に異なる方向へ引き出した状態で配設されていることを特徴とする。
このような構成によれば、ケーブルをスケール部材の長手方向に異なる方向へ引き出しているので、電子機器をスケール部材に複数配置する場合でもケーブルが邪魔にならず、隣接する電子機器の間隔を詰めて配設することができる。その結果、変位測定装置の設置スペースを削減することができ、空間利用効率を向上させることができる。
【発明を実施するための最良の形態】
【００２１】
以下、本発明の実施の形態を図示するとともに図中の各要素に付した符号を参照して説明する。
（第１実施形態）
図１（Ａ）に、本発明の変位測定装置の第１実施形態を示す。
第１実施形態の基本的構成は背景技術で説明した構成に同様であるが、検出ヘッド２からのケーブル引き出し方向に特徴を有する。
この変位測定装置１００は、長手方向に沿ってスケールパターン（不図示）を有するスケール部材１と、このスケール部材１に沿ってスライド移動可能に設けられスケールパターンに対する変位量を検出する電子機器としての検出ヘッド２と、を備えて構成されている。
検出ヘッド２は、内部に収納空間（不図示）を有するケース体２３を備え、ケース体２３の収納空間にはスケールパターンに対する変位量を検出する電気動作部としての変位検出ユニット（不図示）が収納されている。そして、この変位検出ユニットに電力を供給するとともに変位検出ユニットからの信号を外部に伝送するケーブル５が設けられている。
【００２２】
ケース体２３は、スケール部材１の長手方向に沿った方向に長手方向を有し高さ方向が扁平した略直方体形状である。ケース体２３は、スケール部材１に対向する略矩形の底板の周縁に立設された側壁３２を有し内部に図示しない変位検出ユニットを収納する収納ケース部３と、底板に対向して側壁３２の開口側端面に当接して収納空間を閉じる長方形平板状の天板部４と、を備えて構成されている。
【００２３】
天板部４は、略平坦に形成された天面２１と、天面２１の略中央で収納空間と外部空間とを連通する連通孔４２と、連通孔４２の天面側出口と天板部４の端縁とを結んで凹設されケーブル５が嵌合されるケーブル嵌合溝４３とを備えて構成されている。
天板部４は、収納ケース部３に対して鉛直上方から収納空間を閉じており、収納ケース部３に対して対角位置でねじ止め４１される。天板部は、ねじ止めされる位置においてねじ頭４１１が天面２１から突出しない程度の深さの切欠凹部４１２を備えている。
天面２１は略平坦に加工され、例えば、加工対象物が載置される基準面となる。
連通孔４２は、収納空間と外部の空間とを連通しており、この連通孔４２を通ってケーブル５が収納空間内の変位検出ユニットに通じて設けられている。
【００２４】
ケーブル嵌合溝４３はケース体２３の外側面の一つである天面２１に形成されている。ケーブル嵌合溝４３は、連通孔４２から長手方向に沿った一縁辺４４に平行で長手方向に直交する一端辺４５に向けて形成された第１ケーブル嵌合溝４３１と、第１ケーブル嵌合溝４３１とは反対方向に連通孔４２から他端辺４６に向けて形成された第２ケーブル嵌合溝４３２と、連通孔４２から一端辺４５（他端辺４６）に平行で一縁辺４４に向けて形成された第３ケーブル嵌合溝４３３と、の三本が設けられている。
【００２５】
ケーブル嵌合溝４３の断面形状は、図１（Ｂ）の側面図に示されるように、弦に相当する直線で一部が切断された略円形状であり、ケーブル嵌合溝４３の内側から外部へ通じる開口部４３４の幅が溝内の最大直径に比べて縮径している。なお、ケーブル嵌合溝４３の最大直径はケーブル５の径よりも大きいが、開口部４３４の幅はケーブル５の径よりも若干小さく形成されている。
開口部４３４の幅は、ケーブル５に与圧を掛けて開口部４３４からケーブル嵌合溝４３の内側にケーブル５を押し込むことができるとともにケーブル嵌合溝４３の内側に一旦押し込まれたケーブル５が与圧を掛けることなしにはケーブル嵌合溝４３から外れないで固定される程度の幅に形成されることが例示される。このようにケーブル５を固定できる程度の開口部４３４の幅によってケーブル５がケーブル嵌合溝４３に嵌合された状態で位置決めされる。
【００２６】
このような構成において、ケーブル５は、連通孔４２を通って収納空間から出た後にケーブル嵌合溝４３の内側に押し込まれ、一端辺４５、他端辺４６あるいは一縁辺４４の側から引き出される。あるいは、連通孔４２を通って収納空間から出た後、ケーブル５は上方に引き出される。
【００２７】
このような構成を備える第１実施形態によれば、次の効果を奏することができる。
（１）検出ヘッド２からケーブル５を引き出す場合、連通孔４２を抜けてそのまま上方に引き出してもよく、あるいはケーブル嵌合溝４３を通して検出ヘッド２の側面から引き出してもよい。このとき、第１から第３ケーブル嵌合溝４３１、４３２、４３３により種々の方向を選択することができる。このように、検出ヘッド２からのケーブル５の引き出し方向を種々選択できるので、ケーブル５を電源やホストコンピュータなどに接続する場合でも、ケーブル５を電源あるいはホストコンピュータに向けて最短距離で引き出すことができる。あるいは、電源やホストコンピュータの位置に対して変位測定装置１００を配置する位置や変位測定装置１００の向きは制限を受けないので、変位測定装置１００を自由に配置することができる。
【００２８】
（２）検出ヘッド２からケーブル５を引き出す方向を種々選択でき、ケーブル５の引き出し方向はスケール部材１に沿った方向に限定されないので、例えば、検出ヘッド２を一本のスケール部材１に複数配置する場合でも、間隔を詰めて複数の検出ヘッド２を配設することができる。例えば、図２に示されるように、ケーブル５を検出ヘッド２から上方に向けて引き出した場合、隣接する検出ヘッド２を詰めることができる。極端には、スケール部材１に沿った方向の端面を密接させることもできる。その結果、複数の検出ヘッド２を用いる場合でも、変位測定装置１００を設置するスペースを削減してスペース効率を向上させることができる。
【００２９】
（３）ケーブル嵌合溝４３の開口部４３４の幅が縮径されているので、ケーブル５をケーブル嵌合溝４３に嵌合した状態でケーブル５の位置を固定することができる。
（４）ケーブル嵌合溝４３は天板部４に凹設されているので、天面２１の平坦度に影響せず、その結果、天面２１を加工対象物が載置される基準面として利用することができる。
【００３０】
（第２実施形態）
次に、本発明の第２実施形態について説明する。
第２実施形態の基本的構成は第１実施形態に同様であるが、第２実施形態は収納ケース部３と天板部４との間で角部３５からケーブル５を引き出す構成に特徴を有する。
図３に、検出ヘッド２の分解斜視図を示す。
検出ヘッド２は、内部に収納空間２３１を有するケース体２３と、収納空間２３１に収納された変位検出ユニット２３２とを備えて構成され、変位検出ユニット２３２にケーブル５の一端が電気的に接続されているとともにケーブル５の他端が収納空間２３１の外部に引き出されている。また、ケース体２３が、収納ケース部３と、天板部４と、を備えて構成されている点は第１実施形態に同様である。
【００３１】
収納ケース部３は、全体として略直方体形状であり、略矩形の底板３１と、底板３１の周縁に立設された側壁３２と、側壁３２の開口側端面に設けられケーブル５が保持されるケーブル支持凹部３３と、一縁辺３２１と一端辺３２２とが交差する角部３５の内側でケーブル５を係止するケーブル係止部３４と、を備えて構成されている。なお、底板３１と側壁３２とは一体的に形成されていてもよく、あるいは、底板３１と側壁３２とは別体として形成されて側壁３２の内側に底板３１を嵌め込む構成であってもよい。
【００３２】
ケーブル支持凹部３３は、側壁３２の開口側端面において長手方向に沿った一縁辺３２１に形成された第１ケーブル支持凹部３３１と、側壁３２の開口側端面において一縁辺３２１に隣接する一端辺３２２に形成された第２ケーブル支持凹部３３２と、の２本が設けられている。
ケーブル支持凹部３３の断面形状は上方に向けて開口した略半円形の凹状である。ケーブル支持凹部３３を形成する斜面のうち外側縁３３３の高さが内側縁３３４の高さよりも僅かに低く、内側縁３３４の高さはケーブル５をケーブル支持凹部３３に載置した際にケーブル５の高さに揃う程度である。また、内側縁３３４と外側縁３３３との高さの差は、ケーブル５の径よりも小さい。
第１ケーブル支持凹部３３１および第２ケーブル支持凹部３３２は、一縁辺３２１と一端辺３２２とが交差する角部３５を除いて一縁辺３２１および一端辺３２２に沿って設けられている。
【００３３】
ケーブル係止部３４は、一縁辺３２１と一端辺３２２とが交差する角部３５で収納ケース部３の内壁において、仰角４５度程度の斜め上方に向けて開口し、断面が略半円形の凹状に形成されている。
【００３４】
天板部４は、略矩形で側壁３２の開口側端面のうち内側縁３３４に当接して収納ケース部３の開口を閉じる形状である。また、天板部４は、一縁辺３２１と一端辺３２２とが交差する角部３５に対応する部分に略円形に面取りされた面取部４７を有する。
天板部４が収納ケース部３の開口を閉じた状態で天板部４の側から止めピン４８が止め孔４９に挿入される。止め孔４９は、ケーブル係止部３４に対応する位置を挟んだ二箇所と角部３５の対角にあたる角に一箇所設けられている。
【００３５】
このような構成において、ケーブル５は、変位検出ユニット２３２から角部３５に向けて底板３１の上を這ったあと、ケーブル係止部３４の凹部に引っ掛けられる。そして、ケーブル５は、ケーブル係止部３４からケーブル支持凹部３３に載置されて角部３５の反対側から引き出されるか、または角部３５からケーブル支持凹部３３に載置されることなくそのまま外部に引き出される。
ケーブル５がケーブル係止部３４を通ってケーブル支持凹部３３に載置された状態で天板部４が側壁３２の内側縁３３４に当接して収納空間２３１を閉じると、ケーブル５はケーブル係止部３４と天板部４とで挟持された後、天板部４の面取部４７を抜けて一度外に出る。さらに、ケーブル５がケーブル支持凹部３３と天板部４とで挟持される。このとき、ケーブル５が天板部４とケーブル支持凹部３３とで挟持されたときに若干変形して外側に弾性変形するが、外側縁３３３によってケーブル５の位置はケーブル支持凹部３３の内に位置決めされる。そして、ケーブル５がケーブル支持凹部３３の角部３５とは反対側から引き出される。
また、ケーブル５がケーブル係止部３４に引っ掛けられてそのままケーブル支持凹部３３に載置されることなく外部に引き出された場合、ケーブル５が天板部４とケーブル係止部３４とに挟持されて位置固定される。
【００３６】
このような構成を備える第２実施形態によれば、次の効果を奏することができる。
（５）ケーブル５をケーブル係止部３４に引っ掛けたあと天板部４の面取部４７からケーブル５を逃がすことにより、ケーブル５を角部３５から引き出すことができる。このとき、ケーブル係止部３４と天板部４とにてケーブル５を挟持することによりケーブル５を位置決め固定することができる。さらに、ケーブル支持凹部３３にケーブル５を載置することにより、ケーブル５を検出ヘッド２の側面から引き出すこともできる。このとき、ケーブル支持凹部３３と天板部４とにてケーブル５を挟持することによりケーブル５を位置決め固定することができる。
ケーブル５の引き出し方向を場合に応じて選択できるので、例えば、検出ヘッド２を一本のスケール部材１に複数配置する場合でも、間隔を詰めて複数の検出ヘッド２を配設することができる。
（６）変位測定装置１００は、収納空間２３１内に変位検出ユニット２３２を備えるので密閉構造とする必要があるところ、ケーブル支持凹部３３は角部３５を除いて設けられているので収納空間２３１に通じていない。その結果、天板部４で収納ケース部３の開口を閉じると収納空間２３１が液密に保護される。
【００３７】
（第３実施形態）
次に、本発明の第３実施形態について説明する。第３実施形態の基本的構成は第１実施形態に同様であるが、第３実施形態が特徴とするところはケース体２３の角部４７１からケーブル５を引き出す点にある。
図４に検出ヘッド２の斜視図を示す。検出ヘッド２はケース体２３を備え、ケース体２３が、収納ケース部３と、天板部４と、を備えて構成されている点は第１実施形態に同様である。
【００３８】
収納ケース部３は、全体として略直方体形状であり、略矩形の底板と、底板の周縁に立設された側壁３２と、を備えて構成されている。
天板部４は、全体として略扁平形状に形成された直方体形状であって、側壁３２の開口側端面に当接して収納空間を閉じる。天板部４は、略平坦に形成された天面２１と、角部４７１において天面２１に対して傾斜を有し角部４７１を面取りする形状に形成された切欠斜面４７２と、この切欠斜面４７２から天面２１の対向面に通じ収納空間と外部とを連通する連通孔４２と、を備えている。
【００３９】
このような構成において、ケーブル５は収納空間から連通孔４２を通ってケース体２３の角部４７１から引き出される。ケーブル５は、角部４７１からそのまま斜めに引き出されてもよく、あるいは隣接する側面に沿って引き出されてもよい。したがって、ケーブル５の引き出し方向を場合に応じて選択できる。
なお、切欠斜面４７２および連通孔４２は、四つの角部のうちで一つの角部４７１にのみ形成されていてもよく、あるいは四つの角部のうちで二つ以上の角部に形成されていてもよい。
【００４０】
尚、本発明の電子機器および変位測定装置は、上記実施形態にのみ限定されず、本発明の要旨を逸脱しない範囲内において種々変更を加え得ることは勿論である。
例えば、第１実施形態において、連通孔４２およびケーブル嵌合溝４３は天板部４に設けられていたが、連通孔４２およびケーブル嵌合溝４３はスケール部材１に対向する面を除けばいずれの面に設けられていてもよく、例えば、収納ケース部の側壁３２に設けられていてもよい。さらに、ケーブル嵌合溝４３は、連通孔が設けられた面のみでなくその他の面にも設けられていてもよい。例えば、連通孔４２が天面２１に形成されている場合、ケーブル嵌合溝４３が連通孔４２の外側出口から天板部４に凹設されてこのケーブル嵌合溝４３がさらに側壁３２に続けて設けられていてもよい。要は、ケーブル嵌合溝４３は、連通孔４２の外側出口とケース体２３の外側面上の所定位置とを結んで凹設されていればよい。
スケール部材１に対する変位を検出する構成としては、光学式の変位検出であってもよく、あるいは、磁気式や静電容量式であってもよく、特に限定されないのはもちろんである。
上記実施形態では変位測定装置１００を例にして説明したが、本発明は、内部の収容空間に電気動作部を有し、電気動作部からケーブル５を外部に引き出す電子機器であれば広く適用できる。
【産業上の利用可能性】
【００４１】
本発明は、電子機器および変位測定装置に利用できる。
【図面の簡単な説明】
【００４２】
【図１】（Ａ）本発明の変位測定装置に係る第１実施形態の斜視図である。（Ｂ）第１実施形態の側面図である。
【図２】前記第１実施形態において、複数の検出ヘッドを一本のスケール部材に配設する様子を示す図である。
【図３】本発明の変位測定装置に係る第２実施形態において、検出ヘッドの分解斜視図である。
【図４】本発明の変位測定装置に係る第３実施形態において、検出ヘッドの斜視図である。
【図５】（Ａ）従来の変位測定装置の構成を示す図である。（Ｂ）従来の変位測定装置において複数の検出ヘッドを一本のスケール部材に配列した様子を示す図である。（Ｃ）従来の変位測定装置において検出ヘッドにケーブル引出部材を設けた様子を示す図である。
【符号の説明】
【００４３】
１…スケール部材、１００…変位測定装置、２…検出ヘッド、２１…天面、２２…ケーブル引出部材、２３…ケース体、２３１…収納空間、２３２…変位検出ユニット、３…収納ケース部、３１…底板、３２…側壁、３２１…一縁辺、３２２…一端辺、３３…ケーブル支持凹部、３３１…ケーブル支持凹部、３３２…ケーブル支持凹部、３３３…外側縁、３３４…内側縁、３４…ケーブル係止部、３５…角部、４…天板部、４１…ねじ止め、４１１…ねじ頭、４１２…切欠凹部、４２…連通孔、４３…ケーブル嵌合溝、４３１…ケーブル嵌合溝、４３２…ケーブル嵌合溝、４３３…ケーブル嵌合溝、４３４…開口部、４４…一縁辺、４５…一端辺、４５…仰角、４６…他端辺、４７…面取部、４７１…角部、４７２…切欠斜面、４８…止めピン、４９…止め孔、５…ケーブル
【図１】
2005079506.tif 000003
【図２】
2005079506.tif 000004
【図３】
2005079506.tif 000005
【図４】
2005079506.tif 000006
【図５】
2005079506.tif 000007